(57)【要約】【課題】ホールド型の表示装置を用いた場合における立体視用のシャッタ眼鏡のシャッタ開閉タイミングを適切に調整することを実現したシャッタ眼鏡システムを提供する。【解決手段】例えば一面赤色の画像と一面青色の画像と交互に液晶パネル２に表示させるためのフレームデータが画像生成装置３から出力されている状況下において、液晶シャッタ眼鏡制御装置１２の自動調整部１２１は、フレームデータと共に出力されるフレーム同期信号に基づき生成されるシャッタ制御信号について、シャッタの開放を開始する時点およびその開放期間をスライドさせていきながら、液晶シャッタ眼鏡制御装置１２のＬシャッタ１１１またはＲシャッタ１１２越しに色センサ１３に検出させている赤色または青色の光量が最も大きい値となる、即ち、混じりの最も少ない理想のシャッタの開放を開始する時点およびその開放期間を検出する。【選択図】      図１
2009230071.tif 000002
【特許請求の範囲】
【請求項１】
左眼の視界を開放または遮蔽するための第１のシャッタと、右眼の視界を開放または遮蔽するための第２のシャッタとを有するシャッタ眼鏡装置と、
表示装置に対してフレームデータを出力する画像生成装置が前記フレームデータと共に出力するフレーム同期信号を入力し、このフレーム同期信号に基づき、前記第１のシャッタを開閉させるための第１の制御信号と、前記第２のシャッタを開閉させるための第２の制御信号とを生成して前記シャッタ眼鏡装置に供給するシャッタ眼鏡制御装置と、
指定された色の光量を検出する色センサと、
を具備し、
前記シャッタ眼鏡制御装置は、第１の色で構成される第１の画像と第２の色で構成される第２の画像とを前記表示装置に交互に表示させるためのフレームデータが前記画像生成装置から出力されている状況下において、前記シャッタ眼鏡装置の前記第１のシャッタまたは前記第２のシャッタの一方を透過する前記第１の色または前記第２の色の一方の光量を前記色センサから入力しつつ、前記シャッタ眼鏡装置の前記第１のシャッタまたは前記第２のシャッタの一方の開閉タイミングを所定の範囲内でスライドさせて、前記色センサから入力される光量が最大となる開閉タイミングを検出し、前記フレーム同期信号に基づいて生成する前記第１の制御信号または前記第２の制御信号の一方を調整する調整手段を有することを特徴とするシャッタ眼鏡システム。
【請求項２】
前記表示装置は、ホールド型であり、前記画像生成装置は、ホールド型の表示装置に画像を表示させるためのフレームデータを出力するものであることを特徴とする請求項１記載のシャッタ眼鏡システム。
【請求項３】
前記シャッタ眼鏡装置は、前記第１のシャッタおよび前記第２のシャッタが液晶シャッタで構成される液晶シャッタ眼鏡装置であることを特徴とする請求項１記載のシャッタ眼鏡システム。
【請求項４】
前記シャッタ眼鏡制御装置の前記調整手段は、前記第１のシャッタおよび前記第２のシャッタの開放を開始する時点を設定する第１の設定手段と、その開放期間を設定する第２の設定手段とを含むことを特徴とする請求項１記載のシャッタ眼鏡システム。
【請求項５】
前記シャッタ眼鏡制御装置は、前記シャッタ眼鏡装置に内蔵されることを特徴とする請求項１記載のシャッタ眼鏡システム。
【請求項６】
左眼の視界を開放または遮蔽するための第１のシャッタと、右眼の視界を開放または遮蔽するための第２のシャッタとを有するシャッタ眼鏡装置のシャッタ開閉タイミングを調整する装置であって、
指定された色の光量を検出する色センサからの信号を受け取る入力手段と、
第１の色で構成される第１の画像と第２の色で構成される第２の画像とが表示装置に交互に表示されている状況下において、前記シャッタ眼鏡装置の前記第１のシャッタまたは前記第２のシャッタの一方を透過する前記第１の色または前記第２の色の一方の光量を前記入力手段から取得しつつ、前記シャッタ眼鏡装置の前記第１のシャッタまたは前記第２のシャッタの一方の開閉タイミングを所定の範囲内でスライドさせて、前記色センサから入力される光量が最大となる開閉タイミングを検出し、前記シャッタ眼鏡装置の前記第１のシャッタまたは前記第２のシャッタの一方の開閉タイミングを調整する調整手段と、
を具備することを特徴とするシャッタ開閉タイミング調整装置。
【請求項７】
左眼の視界を開放または遮蔽するための第１のシャッタと、右眼の視界を開放または遮蔽するための第２のシャッタとを有するシャッタ眼鏡装置と、表示装置に対してフレームデータを出力する画像生成装置が前記フレームデータと共に出力するフレーム同期信号を入力し、このフレーム同期信号に基づき、前記第１のシャッタを開閉させるための第１の制御信号と、前記第２のシャッタを開閉させるための第２の制御信号とを生成して前記シャッタ眼鏡装置に供給するシャッタ眼鏡制御装置とを具備するシャッタ眼鏡システムにおけるシャッタ開閉タイミング調整方法であって、
前記シャッタ眼鏡制御装置は、
第１の色で構成される第１の画像と第２の色で構成される第２の画像とを前記表示装置に交互に表示させるためのフレームデータが前記画像生成装置から出力されている状況下において、前記シャッタ眼鏡装置の前記第１のシャッタまたは前記第２のシャッタの一方を透過する前記第１の色または前記第２の色の一方の光量を、指定された色の光量を検出する色センサから入力しつつ、前記シャッタ眼鏡装置の前記第１のシャッタまたは前記第２のシャッタの一方の開閉タイミングを所定の範囲内でスライドさせて、前記色センサから入力される光量が最大となる開閉タイミングを検出し、前記フレーム同期信号に基づいて生成する前記第１の制御信号または前記第２の制御信号の一方を調整する
ことを特徴とするシャッタ開閉タイミング調整方法。
【発明の詳細な説明】
【技術分野】
【０００１】
この発明は、左眼用の画像と右眼用の画像とを左眼と右眼とで交互に鑑賞させることによって立体視を実現するシャッタ眼鏡システムにおけるシャッタ開閉タイミングの調整技術に関する。
【背景技術】
【０００２】
ＣＲＴ（Cathode Ray Tube）ディスプレイ等の表示装置に表示した２次元画像を３次元画像のごとく立体視させるための手法として、左眼用の画像と右眼用の画像とを交互に表示装置に表示し、これらの画像を左眼と右眼とで交互に鑑賞させる手法が良く知られている（例えば特許文献１等参照）。
【０００３】
また、この立体視を実現するために、左眼用の画像を左眼で鑑賞させ、右眼用の画像を右眼で鑑賞させるツールとして、液晶シャッタ眼鏡が広く用いられている。液晶シャッタ眼鏡は、左眼の視界を開放または遮蔽するための左眼液晶シャッタと、右眼の視界を開放または遮蔽するための右眼液晶シャッタとを有しており、当該液晶シャッタ眼鏡を制御する液晶シャッタ眼鏡制御装置が、左眼用の画像と右眼用の画像とを交互に表示させるためのフレームデータと共に出力されるフレーム同期信号を入力し、このフレーム同期信号に基づき、２つのシャッタを開閉させるための制御信号を生成して液晶シャッタ眼鏡に供給している。
【０００４】
この制御信号は、例えば左眼用の画像が表示される期間中はＬｏｗレベル、右眼用の画像が表示される期間中はＨｉｇｈレベルとなるように構成される。そして、この制御信号を受けた液晶シャッタ眼鏡では、Ｌｏｗレベルに切り替わったタイミングで右眼液晶シャッタを開けて左眼液晶シャッタを閉め、Ｈｉｇｈレベルに切り替わったタイミングで右眼液晶シャッタを閉めて左眼液晶シャッタを開ける。
【０００５】
これにより、液晶シャッタ眼鏡を装着するユーザは、左眼用の画像と右眼用の画像とを左眼と右眼とで交互に鑑賞することとなり、表示装置に表示された２次元画像を３次元画像のように体感することができる。
【特許文献１】特開２００１−１５４６４０号公報
【発明の開示】
【発明が解決しようとする課題】
【０００６】
ところで、これまでは、左眼用の画像と右眼用の画像とを交互に表示する表示装置として、インパルス型であるＣＲＴディスプレイを前提していた。インパルス型の表示装置では、左眼用の画像と右眼用との画像を交互に表示しても、これらが混在した画像が表示される期間が存在することがないため、前述のような、Ｌｏｗレベルに切り替わったタイミングで右眼液晶シャッタを開けて左眼液晶シャッタを閉め、Ｈｉｇｈレベルに切り替わったタイミングで右眼液晶シャッタを閉めて左眼液晶シャッタを開けるといった制御で何ら問題はない。
【０００７】
ここで、左眼用の画像と右眼用の画像とを交互に表示する表示装置として、最近、その普及が著しい、ホールド型の液晶ディスプレイ（ＬＣＤ：Liquid Crystal Display）を用いる場合を考える。
【０００８】
ホールド型の液晶ディスプレイでは、ある画像から次の画像へは、その最上部から下方向に段階的に切り換わっていく。従って、左眼用の画像と右眼用の画像とを交互に表示すると、これらが混在した画像が表示される期間が存在することになる。よって、前述のような、Ｌｏｗレベルに切り替わったタイミングで右眼液晶シャッタを開けて左眼液晶シャッタを閉め、Ｈｉｇｈレベルに切り替わったタイミングで右眼液晶シャッタを閉めて左眼液晶シャッタを開けるといった制御では、立体視が正しく行えないこととなる。
【０００９】
つまり、ホールド型の液晶ディスプレイを用いて立体視を実現するためには、左眼液晶シャッタと右眼液晶シャッタとのそれぞれについて、混ざりの少ないほぼ完全な左眼用の画像または右眼用の画像が表示されている期間中においてのみ左眼または右眼の視界を開放すべく、その開閉を制御するための制御信号が、左眼液晶シャッタおよび右眼液晶シャッタのそれぞれについて必要となる。そして、これに伴い、この２つの制御信号を適切に調整するための手法が求められている。
【００１０】
この発明は、このような事情を考慮してなされたものであり、ホールド型の表示装置を用いた場合における立体視用のシャッタ眼鏡のシャッタ開閉タイミングを適切に調整することを実現したシャッタ眼鏡システム、シャッタ眼鏡装置のシャッタ開閉タイミング調整装置およびシャッタ眼鏡システムにおけるシャッタ開閉タイミング調整方法を提供することを目的とする。
【課題を解決するための手段】
【００１１】
前述の目的を達成するために、この発明のシャッタ眼鏡システムは、左眼の視界を開放または遮蔽するための第１のシャッタと、右眼の視界を開放または遮蔽するための第２のシャッタとを有するシャッタ眼鏡装置と、表示装置に対してフレームデータを出力する画像生成装置が前記フレームデータと共に出力するフレーム同期信号を入力し、このフレーム同期信号に基づき、前記第１のシャッタを開閉させるための第１の制御信号と、前記第２のシャッタを開閉させるための第２の制御信号とを生成して前記シャッタ眼鏡装置に供給するシャッタ眼鏡制御装置と、指定された色の光量を検出する色センサと、を具備し、前記シャッタ眼鏡制御装置は、第１の色で構成される第１の画像と第２の色で構成される第２の画像とを前記表示装置に交互に表示させるためのフレームデータが前記画像生成装置から出力されている状況下において、前記シャッタ眼鏡装置の前記第１のシャッタまたは前記第２のシャッタの一方を透過する前記第１の色または前記第２の色の一方の光量を前記色センサから入力しつつ、前記シャッタ眼鏡装置の前記第１のシャッタまたは前記第２のシャッタの一方の開閉タイミングを所定の範囲内でスライドさせて、前記色センサから入力される光量が最大となる開閉タイミングを検出し、前記フレーム同期信号に基づいて生成する前記第１の制御信号または前記第２の制御信号の一方を調整する調整手段を有することを特徴とする。
【００１２】
また、この発明のシャッタ開閉タイミング調整装置は、左眼の視界を開放または遮蔽するための第１のシャッタと、右眼の視界を開放または遮蔽するための第２のシャッタとを有するシャッタ眼鏡装置のシャッタ開閉タイミングを調整する装置であって、指定された色の光量を検出する色センサからの信号を受け取る入力手段と、第１の色で構成される第１の画像と第２の色で構成される第２の画像とが表示装置に交互に表示されている状況下において、前記シャッタ眼鏡装置の前記第１のシャッタまたは前記第２のシャッタの一方を透過する前記第１の色または前記第２の色の一方の光量を前記入力手段から取得しつつ、前記シャッタ眼鏡装置の前記第１のシャッタまたは前記第２のシャッタの一方の開閉タイミングを所定の範囲内でスライドさせて、前記色センサから入力される光量が最大となる開閉タイミングを検出し、前記シャッタ眼鏡装置の前記第１のシャッタまたは前記第２のシャッタの一方の開閉タイミングを調整する調整手段と、を具備することを特徴とする。
【００１３】
また、この発明のシャッタ開閉タイミング調整方法は、左眼の視界を開放または遮蔽するための第１のシャッタと、右眼の視界を開放または遮蔽するための第２のシャッタとを有するシャッタ眼鏡装置と、表示装置に対してフレームデータを出力する画像生成装置が前記フレームデータと共に出力するフレーム同期信号を入力し、このフレーム同期信号に基づき、前記第１のシャッタを開閉させるための第１の制御信号と、前記第２のシャッタを開閉させるための第２の制御信号とを生成して前記シャッタ眼鏡装置に供給するシャッタ眼鏡制御装置とを具備するシャッタ眼鏡システムにおけるシャッタ開閉タイミング調整方法であって、前記シャッタ眼鏡制御装置は、第１の色で構成される第１の画像と第２の色で構成される第２の画像とを前記表示装置に交互に表示させるためのフレームデータが前記画像生成装置から出力されている状況下において、前記シャッタ眼鏡装置の前記第１のシャッタまたは前記第２のシャッタの一方を透過する前記第１の色または前記第２の色の一方の光量を、指定された色の光量を検出する色センサから入力しつつ、前記シャッタ眼鏡装置の前記第１のシャッタまたは前記第２のシャッタの一方の開閉タイミングを所定の範囲内でスライドさせて、前記色センサから入力される光量が最大となる開閉タイミングを検出し、前記フレーム同期信号に基づいて生成する前記第１の制御信号または前記第２の制御信号の一方を調整することを特徴とする。
【発明の効果】
【００１４】
この発明によれば、ホールド型の表示装置を用いた場合における立体視用のシャッタ眼鏡のシャッタ開閉タイミングを適切に調整することを実現したシャッタ眼鏡システム、シャッタ眼鏡装置のシャッタ開閉タイミング調整装置およびシャッタ眼鏡システムにおけるシャッタ開閉タイミング調整方法を提供することができる。
【発明を実施するための最良の形態】
【００１５】
以下、図面を参照して本発明の一実施形態を説明する。
【００１６】
図１は、本実施形態に係る液晶シャッタ眼鏡システム１の構成およびその動作環境を示す図である。
【００１７】
液晶シャッタ眼鏡システム１は、液晶シャッタ眼鏡１１、液晶シャッタ眼鏡制御装置１２、色センサ１３、アナログ／デジタル（Ａ／Ｄ）変換装置１４からなる。液晶シャッタ眼鏡１１は、左眼の視界を開放または遮蔽するための左眼液晶シャッタ（Ｌシャッタ）１１１と、右眼の視界を開放または遮蔽するための右眼液晶シャッタ（Ｒシャッタ）１１２とを有しており、ユーザは、この液晶シャッタ眼鏡１１を装着して、交互に表示される左眼用の画像と右眼用の画像とを左眼と右眼とで交互に鑑賞することにより、立体視を体感する。
【００１８】
図１に示すように、本実施形態では、左眼用の画像と右眼用の画像とを交互に表示するための表示装置として、ホールド型の液晶パネル２を使用する。液晶シャッタ眼鏡制御装置１２は、この液晶パネル２に対して左眼用の画像と右眼用の画像とを交互に表示させるためのフレームデータを出力する画像生成装置３が、当該フレームデータと共に出力するフレーム同期信号を入力し、このフレーム同期信号に基づき、Ｌシャッタ１１１およびＲシャッタ１１２を開閉させるためのシャッタ制御信号Ｌおよびシャッタ制御信号Ｒを生成して液晶シャッタ眼鏡１１に供給する。そして、液晶シャッタ眼鏡制御装置１２は、このシャッタ制御信号Ｌおよびシャッタ制御信号Ｒを自動調整するための自動調整部１２１を備えている。
【００１９】
ここで、この自動調整部１２１がシャッタ制御信号Ｌおよびシャッタ制御信号Ｒを自動調整する原理の理解を助けるために、図２乃至図４を参照して、インパルス型のＣＲＴディスプレイを使用して立体視を実現する場合の液晶シャッタ眼鏡の駆動制御手法と、この駆動制御手法をホールド型の液晶パネル２を使用して立体視を実現する場合に流用した時の問題点について説明する。
【００２０】
インパルス型のＣＲＴディスプレイを使って、左眼用の画像と右眼用の画像とを交互に表示させる場合、画像生成装置から出力されるフレームデータは、図２（Ａ）に示すようなものとなる。即ち、完全な右眼画像（ａ１）と完全な左眼画像（ａ２）とが所定の空白期間を挟んで交互に表示されることとなる。そこで、液晶シャッタ眼鏡制御装置は、このフレームデータと共に出力されるフレーム同期データに基づいて、図２（Ｂ）に示すように、右眼画像の表示終了から左眼画像の表示開始までの間に、Ｒシャッタを閉じさせてＬシャッタを開けさせるべくシャッタ制御信号をＬｏｗレベルに切り換え、また、左眼画像の表示終了から右眼画像の表示開始までの間に、Ｌシャッタを閉じさせてＲシャッタを開けさせるべくシャッタ制御信号をＨｉｇｈレベルに切り換える。よって、図３に示すように、液晶シャッタ眼鏡制御装置と液晶シャッタ眼鏡との間において、１つのシャッタ制御信号のみを授受すれば足りる。
【００２１】
次に、図４を参照して、ホールド型の液晶パネルを使って、左眼用の画像と右眼用の画像とを交互に表示させる場合に、この１つのシャッタ制御信号のみによって、液晶シャッタ眼鏡のＬシャッタおよびＲシャッタを開閉させた時の問題点について説明する。
【００２２】
ホールド型の液晶パネルを使って、左眼用の画像と右眼用の画像とを交互に表示させる場合、画像生成装置から出力されるフレームデータは、図４（Ａ）に示すようなものとなる。即ち、例えば右眼画像から左眼画像へは、その画像の最上部から下方向に段階的に切り換わっていくので、その間に、上部は左眼画像で下部は右眼画像といった、２つの画像が混在した画像（左右混合画像）が介在する。そのため、図４（Ｂ）に示すシャッタ制御信号で液晶シャッタ眼鏡のＬシャッタおよびＲシャッタを開閉させると、左右混合画像をユーザに鑑賞させてしまい、立体視を正しく体感させられないこととなる。
【００２３】
この問題を解決するために、図１にも示したように、本実施形態の液晶シャッタ眼鏡システム１では、液晶シャッタ眼鏡制御装置１２と液晶シャッタ眼鏡１１との間で、Ｌシャッタ１１１を開閉させるためのシャッタ制御信号Ｌと、Ｒシャッタ１１２を開閉させるためのシャッタ制御信号Ｒとの２つのシャッタ制御信号を授受する。また、これらのシャッタ制御信号は、図５に示すように構成する必要がある。即ち、シャッタ制御信号Ｒは、左眼画像の混ざりの少ないほぼ完全な右眼画像の表示期間中のみＨｉｇｈとなるように構成され（Ｂ１）、一方、シャッタ制御信号Ｌは、右眼画像の混ざりの少ないほぼ完全な左眼画像の表示期間中のみＨｉｇｈとなるように構成されなければならない（Ｂ２）。液晶シャッタ眼鏡制御装置１２が備える自動調整部１２１は、このシャッタ制御信号Ｒとシャッタ制御信号Ｌとを、例えばカスタマエンジニアの経験等に頼ることなく、自動的に適正化できるようにしたものであり、以下、この点について詳述する。
【００２４】
図１に示した色センサ１３およびＡ／Ｄ変換装置１４は、この調整を行う場合に使用する機器である。なお、このＡ／Ｄ変換装置１４は、（通常時は不要ではあるが）液晶シャッタ眼鏡制御装置１２に内蔵しても良い。
【００２５】
そして、この調整を行う場合、画像生成装置３には、次のようなパターン画像を液晶パネル２に表示させるためのフレームデータを出力させ続ける。即ち、例えば左眼画像として一面赤色の画像を表示させ、右眼画像として一面青色の画像を表示させるためのフレームデータを出力させ続ける。これにより、一面赤色の画像と一面青色の画像とが交互に液晶パネル２に表示されることになる。
【００２６】
また、この時、前述のようなパターン画像を表示する液晶パネル２の前に液晶シャッタ眼鏡１１を配置し、シャッタ制御信号Ｒの調整を行うのであれば、液晶シャッタ眼鏡１１のＲシャッタ１１２越しにパターン画像を鑑賞可能な位置に色センサ１３を配置して、当該色センサ１３に青色の光量を検出させる。一方、シャッタ制御信号Ｌの調整を行うのであれば、液晶シャッタ眼鏡１１のＬシャッタ１１１越しにパターン画像を鑑賞可能な位置に色センサ１３を配置して、当該色センサ１３に赤色の光量を検出させる。色センサ１３が検出した光量は、Ａ／Ｄ変換装置１４を経てデジタル信号として液晶シャッタ眼鏡制御装置１２の自動調整部１２１に供給される。
【００２７】
このような状況下において、自動調整部１２１は、画像生成装置３がフレームデータと共に出力するフレーム同期信号に基づき液晶シャッタ眼鏡制御装置１２が生成するシャッタ制御信号について、まず、許容される範囲内の最も早い時点にシャッタの開放を開始する時点を設定し、かつ、許容される範囲内の最も短い期間にその開放期間を設定する。そして、この状態から、自動調整部１２１は、図６に示すように、シャッタの開放を開始する時点およびその開放期間をスライドさせていき、色センサ１３に検出させている色の光量が最も大きい値となる、即ち、混じりの最も少ない理想のシャッタの開放を開始する時点およびその開放期間を検出する。
【００２８】
この調整をシャッタ制御信号Ｒとシャッタ制御信号Ｌとのそれぞれについて行えば、ホールド型の液晶パネル２に左眼画像と右眼画像とを交互に表示させた場合でも、混ざりの少ないほぼ完全な左眼画像または右眼画像が表示されている期間中においてのみ左眼または右眼の視界を開放すべく、液晶シャッタ眼鏡１１のＬシャッタ１１１およびＲシャッタ１１２が開閉されることになるので、立体視が正しく体感されることになる。
【００２９】
図７は、液晶シャッタ眼鏡制御装置１２が備える自動調整部１２１が実行する調整処理の流れを示すフローチャートである。
【００３０】
液晶パネル２に前述のようなパターン画像が表示され、かつ、赤色または青色の光量を検出する色センサ１３が液晶シャッタ眼鏡１１のＬシャッタ１１１またはＲシャッタ１１２越しにパターン画像を鑑賞可能なように液晶シャッタ眼鏡１１および色センサ１３が配置されている状況下において、液晶シャッタ眼鏡制御装置１２の自動調整部１２１は、シャッタの開放期間を暫定的に設定した後（ステップＡ１）、シャッタの開放を開始する時点をシフトさせて行きながら（ステップＡ２）、色センサ１３が検出する光量を取得して行く（ステップＡ３）。このシフトは、これまでで最も大きい光量の値が得られるか（ステップＡ４）、または、それ以上シフトが不可能となるまで（ステップＡ５）続けられる。
【００３１】
ステップＡ１にて設定した期間でのシフトが終了すると（ステップＡ４のＹＥＳまたはステップＡ４のＮｏ，ステップＡ５のＮＯ）、液晶シャッタ眼鏡制御装置１２の自動調整部１２１は、その時点で期間が最長か否かを調べ（ステップＡ６）、最長でなければ（ステップＡ６のＮＯ）、ステップＡ１に戻って、期間を延ばす方向に再設定し、ステップＡ２〜ステップＡ５の処理を繰り返す。この期間を延ばす方向への再設定は、期間が最長に達するまで続けられ、期間が最長に達したら（ステップＡ６のＹＥＳ）、この処理を終了する。
【００３２】
これにより、液晶シャッタ眼鏡制御装置１２の自動調整部１２１は、色センサ１３により検出された光量が最も大きくなる、即ち、混じりの最も少ない理想のシャッタの開放を開始する時点およびその開放期間を検出することができ、シャッタ制御信号Ｒおよびシャッタ制御信号Ｌを自動的に適正化することを実現する。
【００３３】
なお、以上では、液晶シャッタ眼鏡１１と液晶シャッタ眼鏡制御装置１２とのそれぞれが独立した１つの装置として液晶シャッタ眼鏡システム１が構成される例を示したが、例えば、液晶シャッタ眼鏡制御装置１２を液晶シャッタ眼鏡１１に内蔵させるように構成することも当然に可能である。
【００３４】
即ち、本発明は、上記実施形態そのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に構成要素を適宜組み合わせてもよい。
【図面の簡単な説明】
【００３５】
【図１】この発明の一実施形態に係る液晶シャッタ眼鏡システムの構成およびその動作環境を示す図
【図２】インパルス型のＣＲＴディスプレイを使用して立体視を実現する場合の液晶シャッタ眼鏡の駆動制御手法を説明するための第１の図
【図３】インパルス型のＣＲＴディスプレイを使用して立体視を実現する場合の液晶シャッタ眼鏡の駆動制御手法を説明するための第２の図
【図４】インパルス型のＣＲＴディスプレイを使用して立体視を実現する場合の液晶シャッタ眼鏡の駆動制御手法をホールド型の液晶パネルを使用して立体視を実現する場合に流用した時の問題点を説明するための図
【図５】同実施形態の液晶シャッタ眼鏡システムにおける液晶シャッタ眼鏡の駆動制御手法を説明するための図
【図６】同実施形態の液晶シャッタ眼鏡システムで実行される液晶シャッタ眼鏡のシャッタ開閉タイミングの調整処理の原理を説明するための図
【図７】同実施形態の液晶シャッタ眼鏡システムで実行される液晶シャッタ眼鏡のシャッタ開閉タイミングの調整処理の流れを示すフローチャート
【符号の説明】
【００３６】
１…液晶シャッタ眼鏡システム、２…液晶パネル、３…画像生成装置、１１…液晶シャッタ眼鏡、１２…液晶シャッタ眼鏡制御装置、１３…色センサ、１４…アナログ／デジタル（Ａ／Ｄ）変換装置、１１１…左眼液晶シャッタ（Ｌシャッタ）、１１２…右眼液晶シャッタ（Ｒシャッタ）、１２１…自動調整部。
【図１】
2009230071.tif 000003
【図２】
2009230071.tif 000004
【図３】
2009230071.tif 000005
【図４】
2009230071.tif 000006
【図５】
2009230071.tif 000007
【図６】
2009230071.tif 000008
【図７】
2009230071.tif 000009